(57)【特許請求の範囲】
【請求項１】
第１のボードに実装されるコネクタと、前記第１のボードと交差する第２のボードに実装されて前記コネクタと接続される第1のコネクタと、を有するコネクタ装置であって、
前記コネクタは、複数の伝送路を有し且つ端にコンタクトが複数並んでいる構成のコンタクトモジュールが、複数、ハウジング内に並んで設けてあり、前記第1のコネクタと接続される側の面に前記コンタクトが露出しているおり、且つ、前記の個々のコンタクトモジュールの前記端の複数のコンタクトが、前記コネクタの幅方向に整列しており、
前記の複数のコンタクトモジュールは、細長形状の板が略Ｌ字形状に曲がっており、且つ、前記コンタクトが一致した状態で重なり合うようにサイズが異なっており、
前記第１のコネクタは、複数の伝送路を有し且つ端に第1のコンタクトが複数並んでいる構成の第1のコンタクトモジュールが、複数、ハウジング内に並んで設けてあり、前記コネクタと接続される側の面に前記第1のコンタクトが露出しており、且つ、前記個々の第1のコンタクトモジュールの前記端の複数の第1のコンタクトが前記第１のコネクタの高さ方向に整列しており、
同一の前記コンタクトモジュールに配置された前記コンタクトは、同一の前記第１のコンタクトモジュールに配置された前記第１のコンタクトに接続されるコネクタ装置。
【請求項２】
請求項１に記載された前記コネクタを、ケーブルの端に有する、ケーブルコネクタ。
【請求項３】
第一ボードに実装される第一コネクタと、第二ボードに実装され、前記第一ボードと前記第二ボードとが交差する状態で前記第一コネクタに接続される第二コネクタとを有するコネクタにおいて、
前記第一コネクタは、
第一ハウジングと、
Ｌ字状に曲げられた板状の第一部材と、前記第一部材に配置された複数の伝送路と、前記第一部材の端部に並んで配置される複数の第一コンタクトとを各々有し、それぞれの端が一致するように前記第一ハウジング内に並んで配置される、サイズの異なる複数の第一コンタクトモジュールと、を備え、
前記第二コネクタは、
第二ハウジングと、
平板状の第二部材と、前記第二部材に配置された複数の伝送路と、前記第二部材の端部に並んで配置される複数の第二コンタクトとを各々有し、前記第二ハウジング内に並んで配置される複数の第二コンタクトモジュールと、を備え、
前記第一コネクタと前記第二コネクタとが接続された際、同一の第一コンタクトモジュールに配置された第一コンタクトは、同一の第二コンタクトモジュールに配置された第二コンタクトに接続することを特徴とする、コネクタ。
【発明の詳細な説明】
【技術分野】
【０００１】
本発明はコネクタに係り、特に、サーバ等の通信機器においてバックプレーンにドータボードを電気的に接続するのに使用される高速伝送対応のコネクタに関する。
【背景技術】
【０００２】
通信機器等の内部には、バックプレーンと、この端の箇所に直角にドータボードが複数平行に並んで配置してあり、複数のドータボードがバックプレーンを介して相互に接続された構造がある。以下、この構造を「プリント回路基板組み合わせ体」という。
【０００３】
バックプレーンはその端の箇所にバックプレーン側コネクタが実装してあり、ドータボードもその端のの箇所にドータボード側コネクタが実装してあり、ドータボード側コネクタがバックプレーン側コネクタに接続されて、ドータボードがバックプレーンに接続してある。
【０００４】
また、近年、信号の伝送速度が高速になってきており、信号伝送の方式としてノイズの影響を受け難い平衡伝送が多く採用されており、上記のコネクタもこれに対応可能である構成となっている。即ち、平衡伝送は、一つの信号について、基準レベルに対してレベルの大きさが等しいプラス側の信号とマイナス側の信号とよりなるペア信号を伝送する方式である。
【０００５】
図１はプリント回路基板組み合わせ体１に適用される従来のコネクタ装置１０を概略的に示す。図２はプリント回路基板組み合わせ体１に適用された状態のコネクタ装置１０を概略的に示す。
【０００６】
図１を参照するに、２はバックプレーンであり、３はドータボードであり、共にプリント回路基板である。バックプレーン２はＸ−Ｙ面に位置しており、ドータボード３はＸ−Ｚ面に位置している。
【０００７】
本願明細書において、同じ部材の間の識別は枝番号で行っている。複数の同じ部材のうちの特定の部材を指し示さない場合には、枝番号を付さない符号を使用して説明する。
【０００８】
１１はバックプレーン側コネクタであり、２１はドータボード側コネクタであり、共にライトアングル型である。バックプレーン側コネクタ１１とドータボード側コネクタ２１とが合わさって、コネクタ装置１０を構成する。図１はバックプレーン側コネクタ１１とドータボード側コネクタ２１とを、接続される向きで示す。Ｙ方向はバックプレーン側コネクタ１１の高さ方向、ドータボード側コネクタ２１の幅方向である。Ｚ方向はバックプレーン側コネクタ１１の幅方向、ドータボード側コネクタ２１の高さ方向である。高さ方向とは、ボード上に実装した場合にボードの面から上方への方向であり、幅方向とは、ボード上に実装した場合にボードの端面に沿う方向である。
【０００９】
バックプレーン側コネクタ１１は、４つコンタクトモジュール１２−１〜１２−４がシールド板（図示せず）と交互に並んだ状態でハウジング（図示せず）内に組み込んである構造である。各コンタクトモジュール１２−１〜１２−４は、平面状であり、合成樹脂製の本体１３に、共に直角に曲っている４つの伝送路部材１４−１−１〜１４−１−４が並んで固定してあり、一端側にオスコンタクト部１５を有し、基部となる反対側にターミナル部材１６を有する構成である。１７は接続側面であり、オスコンタクト部１５がマトリクス状に並んでいる。同じコンタクトモジュールについてみると、オスコンタクト部１５はＹ方向、即ち、バックプレーン側コネクタ１１の高さ方向に整列している。なお、バックプレーン側コネクタ１１の更に詳細な構成については後述する。
【００１０】
ドータボード側コネクタ２１は、バックプレーン側コネクタ１１に対応する構造であり、複数のコンタクトモジュール２２がシールド板（図示せず）と交互に並んだ状態でハウジング（図示せず）内に組み込んである構造である。各コンタクトモジュール２２は、平面状であり、合成樹脂製の本体２３に、共に直角に曲っている４つの伝送路部材２４−１−１〜２４−１−４が並んで固定してあり、一端側にメスコンタクト部材２５を有し、基部となる反対側にターミナル部材２６を有する構成である。２７は接続側面であり、メスコンタクト部材２５がマトリクス状に並んでいる。同じコンタクトモジュールについてみると、メスコンタクト部材２５はＺ方向に整列している。
【００１１】
図２に示すように、バックプレーン側コネクタ１１は、ターミナル部材１６を固定されてバックプレーン２上に実装してあり、接続側面１７がバックプレーン２の端に臨んでいる。ドータボード側コネクタ２１は、ターミナル部材１６を固定されてバックプレーン２上に実装してあり、接続側面２７がドータボード３の端に臨んでいる。
【００１２】
ドータボード３は、ドータボード側コネクタ２１の接続側面２７をバックプレーン側コネクタ１１の接続側面１７に突き合わされ、メスコンタクト部材２５を対応するオスコンタクト部１５に接続されて、バックプレーン側コネクタ１１と接続してある。
【００１３】
コネクタ装置１０についてみると、バックプレーン側コネクタ１１のコンタクトモジュール１２はＸ−Ｙ面にあり、ドータボード側コネクタ２１のコンタクトモジュール２２はＸ−Ｙ面にあり、バックプレーン側コネクタ１１のコンタクトモジュール１２とドータボード側コネクタ２１のコンタクトモジュール２２とは直交する位置関係にある。即ち、バックプレーン側コネクタ１１の個々のコンタクトモジュール１２はドータボード側コネクタ２１の全部のコンタクトモジュール２２と交差している。ドータボード側コネクタ２１の個々のコンタクトモジュール２２はバックプレーン側コネクタ１１の全部のコンタクトモジュール１２と交差している。
【特許文献１】特表２００５−５２２０１２号公報
【発明の開示】
【発明が解決しようとする課題】
【００１４】
ここで、ペア信号がバックプレーン２からコネクタ装置１０を経てドータボード３に伝送されるときの、コネクタ装置１０内における経路は、以下のようになる。
【００１５】
図２に概略的に示すように、バックプレーン２側からドータボード３に向かうペア信号Ｓ１ａ，Ｓ１ｂは、バックプレーン側コネクタ１１の同じコンタクトモジュール１２−１内の対をなす隣り合う伝送路部材１４−１−１と１４−１−２を伝送され、伝送路部材１４−１−１の信号Ｓ１ａは、ドータボード側コネクタ２１のコンタクトモジュール２２−１の伝送路部材２４−１−１に移って伝送され、伝送路部材１４−１−２の信号Ｓ１ｂは、別のコンタクトモジュール２２−２の伝送路部材２４−２−１に移って伝送される。
【００１６】
バックプレーン側コネクタ１１の同じコンタクトモジュール１２−１内の別の対をなす伝送路部材１４−１−３と１４−１−４を伝送される別のペア信号Ｓ２ａ，Ｓ２ｂは、ドータボード側コネクタ２１内のコンタクトモジュール２２−３、２２−４とに分かれて移って伝送される。
【００１７】
このように、バックプレーン側コネクタ１１の同じコンタクトモジュール１２内の別の対をなす伝送路部材を伝送されてきたペア信号は、ドータボード側コネクタ２１に移るときに別々のコンタクトモジュールに分離されて、異なるコンタクトモジュールの伝送路部材を伝送される。
【００１８】
ここで、ペア信号は、波形が密に関連するものであり、この関連性を維持していることが信号の伝送特性を高く維持する上で重要である。例えば、一の信号の伝送路の距離と別の信号の伝送路の距離との差異は、関連性を損ねる原因である。よって、ペア信号は、コンタクトモジュール内の対をなす隣り合う伝送路部材を伝送されるべきものである。
【００１９】
ペア信号の伝送路がコネクタ装置１０内で別々のコンタクトモジュールの伝送路に分離されると、例えば、ペア信号を構成する個々の信号の伝送路の距離に差異が出てきて、信号の伝送特性が悪くなる虞れがあった。
【００２０】
また、将来的に信号の伝送速度が高速となると、相対的に上記の内容が無視できない問題となってくる。
【００２１】
本発明は、上記の点に鑑みてなされたコネクタを提供することを目的とする。
【課題を解決するための手段】
【００２２】
本発明は、複数の伝送路を有し且つ端にコンタクトが複数並んでいる構成のコンタクトモジュールが、複数、ハウジング内に並んで設けてあり、接続される側の面に前記コンタクトが露出しているコネクタであって、
前記の個々のコンタクトモジュールの前記端の複数のコンタクトが、前記コネクタの幅方向に整列している構成である。
【発明の効果】
【００２３】
本発明によれば、例えばバックプレーンとドータボードとが夫々の端が直交する位置関係で接続される場所に適用して、ペア信号が二つのコンタクトモジュールに分離しないで伝送されるようにすることが出来、即ち、一つのコンタクトモジュールからのペア信号を別の一つのコンタクトモジュールに乗せて移すことが出来、信号の伝送特性を改善することが出来る。
【発明を実施するための最良の形態】
【００２４】
次に本発明の実施の形態について説明する。
【実施例１】
【００２５】
図３は本発明の実施例1になるコネクタ装置３０を概略的に示す。図４は回路基板組み合わせ体１Ａに適用された状態のコネクタ装置３０を概略的に示す。各図中、図１及び図２に示す構成の部分と対応する部分には同一符号を付す。
【００２６】
コネクタ装置３０は、従来のコネクタ装置１とは、ドータボード側コネクタ４０が相違する構成である。
【００２７】
コネクタ装置３０は、バックプレーン側コネクタ１１と、ドータボード側コネクタ４０とよりなる。
【００２８】
ドータボード側コネクタ４０は、ライトアングル型である。図３及び図４は、バックプレーン側コネクタ１１とドータボード側コネクタ４０とを、接続される向きで示す。Ｙ方向はバックプレーン側コネクタ１１の高さ方向、ドータボード側コネクタ４０の幅方向である。Ｚ方向はバックプレーン側コネクタ１１の幅方向、ドータボード側コネクタ４０の高さ方向である。高さ方向とは、ボード上に実装した場合にボードの面から上方への方向であり、幅方向とは、ボード上に実装した場合にボードの端面に沿う方向である。
【００２９】
プリント回路基板組み合わせ体１Ａは、バックプレーン２と、ドータボード３と、コネクタ装置３０とよりなる。バックプレーン２とドータボード３とは、ドータボード３の一つの端縁３Ｘ２がバックプレーン２の一つの端縁２Ｘ１と直交する配置となっている。
[バックプレーン側コネクタ１１の構造]
図５はバックプレーン側コネクタ１１を分解して示す。
【００３０】
図３及び図５に示すように、コンタクトモジュール１２は、絶縁材料製の板状の本体１３の片面に、直角に曲っている４つの伝送路部材（パターン）１４が並んで形成してあり、一端側にオスコンタクト部１５を有し、基部となる反対側にターミナル部材１６を有し、本体１３の反対側の面に板状のシールド部材１７が設けてある構成である。
【００３１】
ハウジング１８は、合成樹脂製の成形部品であり、４つのスリット１９が並んで形成してある。
【００３２】
コンタクトモジュール１２が、各スリット１９に嵌合されて、並んだ状態で、ハウジング１８内に組み込んである。
【００３３】
その他の部分の構成は、図１において説明した構成と同じである。
【００３４】
同じコンタクトモジュールについてみると、コンタクトとしてのオスコンタクト部１５はＹ方向、即ち、バックプレーン側コネクタ１１の高さ方向に整列している。別々のコンタクトモジュールについてみると、個々のコンタクトモジュールについてオスコンタクト部１５が一列に整列して形成してある線が、バックプレーン側コネクタ１１の幅方向に平行に並んでいる。
[ドータボード側コネクタ４０の構造]
図６はドータボード側コネクタ４０をＹ１側からみて分解して示す。図７はドータボード側コネクタ４０をＹ２側からみて分解して示す。
【００３５】
図３、図６、図７に示すように、ドータボード側コネクタ４０は、コンタクトモジュール４２−１〜４２−４が、カバー５５が付いているハウジング５０内に組み込まれている構造である。
【００３６】
コンタクトモジュール４２−１は、本体４３と、４つの伝送路部材（パターン）４４−１−１〜４４−１−４と、コンタクトとしてのメスコンタクト部材４５−１〜４５−４と、ターミナル部材４６−１〜４６−４と、シールド部材４７とを有する。
【００３７】
本体４３は、細長形状の薄板片の長手方向がを略Ｌ字形状に曲がっている形状の絶縁材料製の板状の部材である。
【００３８】
伝送路部材（パターン）４４−１−１〜４４−１−４は、本体４３の内側の面に、Ｘ２方向の端４３Ｘ２からＺ２方向の端４３Ｚ２までの間に、平行に並んで形成してある。
【００３９】
メスコンタクト部材４５−１〜４５−４は、本体４３のＸ２方向の端４３Ｘ２に、対応する伝送路部材（パターン）４４−１−１〜４４−１−４と電気的に接続された状態で固定してあり、この端４３Ｘ２に沿ってＹ方向に並んでいる。
【００４０】
ターミナル部材４６−１〜４６−４は、本体４３のＺ２方向の端４３Ｚ２に、対応する伝送路部材（パターン）４４−１−１〜４４−１−４と電気的に接続された状態で固定してあり、この端４３Ｚ２よりＺ２方向に突き出ており、端４３Ｚ２に沿ってＹ方向に並んでいる。
【００４１】
シールド部材４７は、本体４３と同様に略Ｌ字形状に曲がっている形状の板状の部材であり、本体４３の外側の面に設けてあり、本体４３の外側の全面を覆っている。
【００４２】
コンタクトモジュール４２−２は、コンタクトモジュール４２−１よりサイズが少し大きく、構成は前記のコンタクトモジュール４２−１と同じである。
【００４３】
コンタクトモジュール４２−３は、コンタクトモジュール４２−２よりサイズが少し大きく、構成は前記のコンタクトモジュール４２−１と同じである。
【００４４】
コンタクトモジュール４２−４は、コンタクトモジュール４２−３よりサイズが少し大きく、構成は前記のコンタクトモジュール４２−１と同じである。
【００４５】
コンタクトモジュール４２−１〜４２−４は、サイズが少しずつ大きくなっており、コンタクトモジュール４２−１が最も下側に位置し、この上に、コンタクトモジュール４２−２が端を一致させてコンタクトモジュール４２−１を丁度に覆って重なり、この上に、コンタクトモジュール４２−３が端を一致させてコンタクトモジュール４２−２を丁度に覆おおって重なり、この上に、コンタクトモジュール４２−４が端を一致させてコンタクトモジュール４２−３を丁度に覆って重なるようになっている。即ち、コンタクトモジュール４２−１〜４２−４は、端が一致した状態で重なり合うようにサイズが少しずつ相違している。
【００４６】
ハウジング５０は、合成樹脂製の成形部品であり、図７及び図６に示すように、コンタクトモジュール４２−１〜４２−４に対応した大きさであって、Ｌ字形状の４つのスリット５１−１〜５１−４が並んで形成してある。
【００４７】
カバー５５は、合成樹脂製の成形部品であり、ハウジング５０の片面を覆う大きさの四角形状の板片である。
【００４８】
ドータボード側コネクタ４０は、上記のコンタクトモジュール４２−１〜４２−４が、ハウジング５０の対応するスリット５１−１〜５１−４内に組み込まれており、カバー５５によって蓋をされている構造である。コンタクトモジュール４２−１〜４２−４は夫々独立してスリット５１−１〜５１−４内に収まっている。
【００４９】
図３に併せて示すように、５７は接続側面であり、Ｙ−Ｚ面に位置し、メスコンタクト部材４５がマトリクス状に並んでいる。５８は実装側面であり、Ｘ−Ｙ面に位置し、ターミナル部材４６がマトリクス状に並んでいる。接続側面５７と実装側面５８とは直交する位置関係にある。
【００５０】
接続側面５７を見ると、同じコンタクトモジュール４２のメスコンタクト部材４５がＹ方向、即ち、ドータボード側コネクタ４０の幅方向に一列に整列しており、この列がＺ方向（高さ方向）に４列平行に並んでいる構成である。ここで、同じコンタクトモジュール４２のメスコンタクト部材４５が整列している方向は、バックプレーン側コネクタ１１の同じコンタクトモジュール１２のオスコンタクト部１５が整列している方向と同じである。
【００５１】
実装側面５８を見ると、同じコンタクトモジュール４２のターミナル部材４６がＹ方向に一列に整列しており、この列がＸ方向に４列平行に並んでいる構成である。
[バックプレーン側コネクタ１１とドータボード側コネクタ４０との接続及びペア信号の伝送経路]
図４に示すように、バックプレーン側コネクタ１１は、ターミナル部材１６（図３参照）を固定されてバックプレーン２上に実装してあり、接続側面１７がバックプレーン２の端に臨んでいる。ドータボード側コネクタ４０は、ターミナル部材４６（図３参照）を固定されてバックプレーン２上に実装してあり、接続側面５７がドータボード３の端に臨んでいる。
【００５２】
ドータボード３は、ドータボード側コネクタ４０の接続側面４７をバックプレーン側コネクタ１１の接続側面１７に突き合わされ、メスコンタクト部材４５が対応するオスコンタクト部１５と接触して接続されて、バックプレーン側コネクタ１１と接続してある。
【００５３】
ここで、コンタクトモジュール４２とコンタクトモジュール１２との関係についてみると、ドータボード側コネクタ４０の同じコンタクトモジュール４２の端に整列しているメスコンタクト部材４５は、バックプレーン側コネクタ１１の同じコンタクトモジュール１２の端に整列しているオスコンタクト部１５と接続されている。
【００５４】
これによって、ペア信号がバックプレーン２からコネクタ装置３０を経てドータボード３に伝送されるときの、コネクタ装置１０内における信号の伝送経路は、以下に記載するようになる。
【００５５】
図４に概略的に示すように、バックプレーン２側からドータボード３に向かうペア信号Ｓ１ａ，Ｓ１ｂは、バックプレーン側コネクタ１１の同じコンタクトモジュール１２−１内の対をなす隣り合う伝送路部材１４−１−１と１４−１−２を伝送され、伝送路部材１４−１−１の信号Ｓ１ａは、ドータボード側コネクタ４０のコンタクトモジュール４２−１の伝送路部材４４−１−１に移って伝送され、伝送路部材１４−１−２の信号Ｓ１ｂは、同じコンタクトモジュール４２−１の伝送路部材４４−１−２に移って伝送される。伝送路部材４４−１−１、４４−１−２は対をなす。
【００５６】
バックプレーン側コネクタ１１の同じコンタクトモジュール１２−１内の別の対をなす伝送路部材１４−１−３と１４−１−４を伝送される別のペア信号Ｓ２ａ，Ｓ２ｂは、ドータボード側コネクタ２１内の上記と同じコンタクトモジュール４２−１の別の対をなす伝送路部材４４−１−３、４４−１−４に移って伝送される。
【００５７】
このように、バックプレーン側コネクタ１１の同じコンタクトモジュール１２−１内の全部の対をなす伝送路部材を伝送されてきた全部のペア信号は、ドータボード側コネクタ４０の同じコンタクトモジュール４２−１に移ってこのコンタクトモジュール４２−１内を伝送される。
【００５８】
同じく、バックプレーン側コネクタ１１のコンタクトモジュール１２−２内を伝送されてきたペア信号は、ドータボード側コネクタ４０の同じコンタクトモジュール４２−２に移ってこのコンタクトモジュール４２−２内を伝送される。コンタクトモジュール１２−３内を伝送されてきたペア信号は、ドータボード側コネクタ４０の同じコンタクトモジュール４２−３に移ってこのコンタクトモジュール４２−３内を伝送される。コンタクトモジュール１２−３内を伝送されてきたペア信号は、ドータボード側コネクタ４０の同じコンタクトモジュール４２−４に移ってこのコンタクトモジュール４２−４内を伝送される。
【００５９】
このように、バックプレーン側コネクタ１１の各コンタクトモジュール１２−１〜１２−４内を伝送されてきたペア信号は、分離されずに、夫々コンタクトモジュール４２−１〜４２−４に移ってこのコンタクトモジュール４２−１〜４２−４内を伝送される。このため、個々のペア信号は、コンタクトモジュール４２−１〜４２−４に移った後も、同じコンタクトモジュール４２の隣接する伝送路部材４４を伝送される。同じコンタクトモジュール４２の隣接する伝送路部材４４の長さは正確に同じである。よって、個々のペア信号がコンタクトモジュール４２を伝送される間に、一の信号の波形と別の信号の波形とにズレが発生することが避けられ、一の信号と別の信号との関連性は良好に維持される。これによって、コネクタ装置３０内の伝送経路における信号の伝送特性が従来に比べて改善される。
【００６０】
なお、上記実施例とは異なり、バックプレーン側コネクタ１１をドータボード３に実装し、ドータボード側コネクタ４０をバックプレーン２に実装してもよい。
【実施例２】
【００６１】
図８は本発明の実施例２になる回路基板組み合わせ体１Ｂ、コネクタ装置３０Ｂ、及びドータボード側コネクタ４０Ｂを示す。
【００６２】
プリント回路基板組み合わせ体１Ｂは、バックプレーン２と、ドータボード３と、コネクタ装置３０Ｂとよりなる。バックプレーン２とドータボード３とは、ドータボード３の一つの端縁３Ｘ２がバックプレーン２の一つの端縁２Ｘ１に鈍角αで交差する配置となっている。
【００６３】
コネクタ装置３０Ｂは、前記のバックプレーン側コネクタ１１と、図９（Ａ）乃至（Ｃ）に示すドータボード側コネクタ４０Ｂとを有する。
【００６４】
このドータボード側コネクタ４０Ｂは、図３、図６、図７に示す前記のドータボード側コネクタ４０とは、大略、接続側面５７Ｂが、四角の形状を維持したまま、前記のドータボード側コネクタ４０の接続側面５７に対して、図９（Ｂ）中、反時計方向に角度βだけ回動された状態にある構成が相違している。
【００６５】
コンタクトモジュール４２Ｂは、長手方向がを略Ｌ字形状に曲がっており、且つ、符号４２Ｂａで示すように、Ｘ２の端の近傍部が少し捻られた形状を有している。
【００６６】
コンタクトモジュール４２ＢのＸ２の端の複数のメスコンタクト部材４５は、接続側面５７Ｂの形状である四角形のＺ２側の辺５７ＢＺ２と平行に並んでおり、且つ、コネクタ装置３０Ｂの幅方向の線Ｌ１に対して鋭角の角度β傾斜した方向の線Ｌ２に沿って並んでいる。
【００６７】
ドータボード３のバックプレーン２に対する配置を直交する配置からずれた位置関係とする場合に、上記のドータボード側コネクタ４０Ｂが使用される。
【実施例３】
【００６８】
図１０は本発明の実施例３になるケーブルコネクタ６０を示す。ケーブルコネクタ６０は、ケーブル６１の端に、前記のドータボード側コネクタ４０と略同じ構造のコネクタ６２を備えている。ケーブル６１内の各電線の端とコネクタ６２内のコンタクトモジュール６３の伝送路部材６４の端とが接続してある。
[変形例]
コンタクトモジュール４２−１〜４２−４は略Ｌ字形状であればよく、図１１に示すように、ＦＣＰ（フレキシブルプリント基板）の片を利用して形成することが可能である。図１１に示すコンタクトモジュール７０は、ＦＣＰのベース７１がベースであり、配線パターン７２が伝送路部材である構成である。
【００６９】
このコンタクトモジュール７０は、曲がりに加えて捻られている図９に示すコンタクトモジュール４２Ｂに適している。
【００７０】
また、前記のコンタクトモジュール４２は、メスコンタクト部と伝送路部とターミナル部とを一体に有する細長い部材を、合成樹脂にインサート成形し、片面にシールド部材を設けた構成とすることも可能である。
【図面の簡単な説明】
【００７１】
【図１】従来のコネクタ装置を示す図である。
【図２】回路基板組み合わせ体に適用された状態の図１のコネクタ装置を示す図である。
【図３】本発明の実施例1になるコネクタ装置を示す図である。
【図４】回路基板組み合わせ体に適用された状態の図３コネクタ装置を示す図である。
【図５】バックプレーン側コネクタの分解斜視図である。
【図６】ドータボード側コネクタをＹ１側からみて分解して示す斜視図である。
【図７】ドータボード側コネクタをＹ２側からみて分解して示す斜視図である。
【図８】本発明の実施例２になるコネクタ装置を示す図である。
【図９】図８中のドータボード側コネクタを示す図である。
【図１０】本発明の実施例３になるケーブルコネクタを示す図である。
【図１１】コンタクトモジュールの変形例を示す図である。
【符号の説明】
【００７２】
１Ａ，１Ｂ  プリント回路基板組み合わせ体
２  バックプレーン
３  ドータボード
１１  バックプレーン側コネクタ
３０  コネクタ装置
４０  ドータボード側コネクタ
４２−１〜４２−４  コンタクトモジュール４２−１〜４２−４
４３  ベース部材
４４−１−１〜４４−１−４  伝送路部材
４５  メスコンタクト部材
４６  ターミナル部材
４７  シールド部材
５０  ハウジング
５７  接続側面
５８  実装側面
６０  ケーブルコネクタ
７０  コンタクトモジュール
７１  ＦＣＰのベース
７２  配線パターン
【図１】
0005155700.tif 000002
【図２】
0005155700.tif 000003
【図３】
0005155700.tif 000004
【図４】
0005155700.tif 000005
【図５】
0005155700.tif 000006
【図７】
0005155700.tif 000007
【図８】
0005155700.tif 000008
【図９】
0005155700.tif 000009
【図１０】
0005155700.tif 000010
【図１１】
0005155700.tif 000011
【図６】
0005155700.tif 000012